(57)【特許請求の範囲】
【請求項１】
カメラの背面部内側に撮像面と平行かつ横長に配置され、両面にカメラの主要な電気部品が搭載された第１の硬質プリント基板と、
この第１の硬質プリント基板よりも小さく形成されて前記カメラのグリップ部内に縦長に配置され、両面に電気部品が搭載された第２の硬質プリント基板と、
前記第１および第２の硬質プリント基板を固定するカメラボディとを備え、
前記第１および第２の硬質プリント基板を前記カメラボディに固定した状態で前記第２の硬質プリント基板の長辺を前記第１の硬質プリント基板に略垂直状態で当接させることにより、この当接部において前記第１および第２の硬質プリント基板を相互に位置決めした状態で電気接続部により電気的に接続したことを特徴とするカメラ。
【請求項２】
請求項１記載のカメラにおいて、
前記第１および第２の硬質プリント基板を接続する前記電気接続部をカメラのグリップ部背面側の膨出部の内側に設けたことを特徴とするカメラ。
【請求項３】
請求項１記載のカメラにおいて、
前記第１および第２の硬質プリント基板を接続する前記電気接続部をコネクタ接続部によって構成したことを特徴とするカメラ。
【請求項４】
請求項１、請求項２または請求項３記載のカメラにおいて、
前記第２の硬質プリント基板に、カメラのストロボ回路、ＤＣ／ＤＣコンバータ回路の少なくとも一方を含む回路を搭載したことを特徴とするカメラ。
【発明の詳細な説明】
【０００１】
【発明の属する技術分野】
本発明は、カメラ内で各種の電気部品を搭載したプリント基板からなる電気部品の実装構造に関する。
【０００２】
【従来の技術】
最近のカメラは小型化がより一層進められており、カメラ内の空間を可能な限り有効に利用するために、各種の電気部品やこれらの電気部品を搭載したプリント基板等の配置にあたっての工夫が講じられている。
【０００３】
たとえば実開昭６３−８８８３６号公報には、カメラのグリップ部の側面部で電池室の後方に形成されるスペースに、バッテリ（電池）の幅より薄い電気部品を配置し、カメラの横幅を大きくすることなく実装部品を配置できるようにしている。
【０００４】
一般にこのようなグリップ部の側面部寄りのスペースは、バッテリやコンデンサに近いために、ストロボ回路およびＤＣ／ＤＣコンバータ回路が配置されることが多い。そして、これらの回路はマイクロコンピュータ（いわゆるマイコン）と接続される。
このようなストロボ回路およびＤＣ／ＤＣコンバータ回路は大電流が流れるため、他の回路へのノイズの影響を少なくするために、単独で硬質プリント基板に搭載し、しかも上述したようにバッテリやコンデンサの近傍に配置するのが普通である。
【０００５】
一方、特開平６−２５８７０１号公報には、カメラ内部のフィルム通路の背面側であって、カメラ背面部を形成する外装部材の内側の隙間空間にフィルム通路と略平行に硬質プリント基板を配置したものが提案されている。このような構造では、カメラの背面部内側という比較的広いスペースを有効に利用し、しかもこの基板上に多数の実装電気部品を搭載することにより、フレキシブルプリント基板（以下、ＦＰＣという）の使用や面積を減らすことができ、またＦＰＣの曲げ部も少なくすることができる。
【０００６】
【発明が解決しようとする課題】
上述した後者の特開平６−２５８７０１号公報に記載されているものでは、カメラ背面部内側に設けた硬質プリント基板は可撓性をもたないので、背面部の硬質プリント基板から離した位置に配置する硬質プリント基板との電気的な接続のために中継手段としてＦＰＣを使用することが必要であった。そのため、この中継用のＦＰＣを用いないものと比べて、コスト高を招くとともに組立性も低下するという問題がある。
【０００７】
特に、カメラ内に各種の電気部品を実装するにあたっては、硬質プリント基板を多用した方が望ましいが、スペース上の問題や電気的な接続手段の点からＦＰＣの使用も行われており、上述した不具合を解消することができる何らかの対策を講じることが必要とされている。
【０００８】
本発明はこのような事情に鑑みてなされたものであり、種々の電気部品を硬質プリント基板に搭載し、カメラ内に所要の状態でコンパクトに組込み実装することが可能で、しかもコストが安く、組立性に優れているカメラを提供することを目的とする。
【０００９】
また、本発明は大電流が流れるためノイズ源となり易いストロボ回路やＤＣ／ＤＣコンバータ回路の配置にあたって、他の回路部品にノイズなどの影響を最小限にすることができるように構成したカメラを提供することを目的とする。
【００１０】
【課題を解決するための手段】
このような目的に応えるために本発明に係るカメラは、カメラの背面部内側に撮像面と平行かつ横長に配置され、両面にカメラの主要な電気部品が搭載された第１の硬質プリント基板と、この第１の硬質プリント基板よりも小さく形成されて前記カメラのグリップ部内に縦長に配置され、両面に電気部品が搭載された第２の硬質プリント基板と、第１および第２の硬質プリント基板を固定するカメラボディとを備え、これら第１および第２の硬質プリント基板をカメラボディに固定した状態で前記第２の硬質プリント基板の長辺を前記第１の硬質プリント基板に略垂直状態で当接させることにより、この当接部において第１および第２の硬質プリント基板を相互に位置決めした状態で電気接続部により電気的に接続したものである。
【００１１】
本発明に係るカメラは、第１および第２の硬質プリント基板を接続する前記電気接続部をカメラのグリップ部背面側の膨出部に対応する内側部分に設けたものである。また、本発明に係るカメラは、第１および第２の硬質プリント基板を接続する前記電気接続部をコネクタ接続部によって構成したものである。
ここで、上述した第２の硬質プリント基板に、カメラのストロボ回路、ＤＣ／ＤＣコンバータ回路の少なくとも一方を含む回路を搭載したものである。
【００１２】
本発明によれば、カメラの背面部内側に撮像面と平行かつ横長に配置され、両面にカメラの主要な電気部品が搭載された第１の硬質プリント基板と、この第１の硬質プリント基板よりも小さく形成されて前記カメラのグリップ部内に縦長に配置され、両面に電気部品が搭載された第２の硬質プリント基板とを備え、これら両硬質プリント基板をカメラボディに固定した状態で第２の硬質プリント基板の長辺を第１の硬質プリント基板に略垂直状態で当接させ、その当接部において電気的な接続を行う電気接続部を設けたので、従来のような中継用のＦＰＣを必要としない分だけコストを下げることができる。
【００１３】
また、本発明によれば、電気的接続をはんだ接続部で構成することにより、中継用ＦＰＣを用いた場合と比べてはんだによる接続個所も半分で済み、さらに両基板をボディに固定する時にはんだ接続部の位置決めも行えるから、組立性を向上させることができる。
【００１４】
【発明の実施の形態】
図１ないし図３は本発明に係るカメラの第１の実施の形態を示す。これらの図において、符号１はたとえばアドバンストフォトシステムによるフィルムカートリッジ２を用いた一眼レフタイプのスチルカメラである。
【００１５】
このカメラ１は、広く知られているように、前面部の略中央部にレンズ鏡筒（図示せず）が装着される。このレンズ鏡筒のレンズによる光路をファインダ光学系に導くための４５°クイックリターンミラー（図示せず）を収納するミラーボックス３が中央部に設けられている。その図中左側には、フィルムカートリッジ２を装填するフィルムカートリッジ室４ａがカメラボディ４の一側寄りに設けられている。５はこの室４ａに対応してカメラ１の背面部の一側部分を開閉自在に構成する蓋体である。この蓋体５を開けることにより、フィルムカートリッジ２をカートリッジ室４ａ内に装填することができる。
【００１６】
４ｂは前記フィルムカートリッジ室４ａに対応してミラーボックス３の反対側（図中右側）に設けたカメラボディ４によるスプール室、６はフィルム走行通路を示し、この通路６はフィルムカートリッジ室４ａに装填したフィルムカートリッジ２から送り出し走行するフィルム２ａを巻き上げるスプール４ｂ１を有するスプール室４ｂに至る間に形成されている。このフィルム走行通路６は、フィルムレール面４ｃとこれに所定の間隙を介して対向する圧板７との間に形成されている。
【００１７】
８はフィルム２ａをスプール室４ｂ内でスプール４ｂ１に押え付けるフィルム押え部材、９はこのフィルム押え部材８を支持するスプール室カバーである。そして、フィルム２ａは、カートリッジ２から送り出され前記通路６を通過してスプール室４ｂ内に入り、スプール４ｂ１の回転によってこのスプール４ｂ１外周に順次巻き上げられる。なお、前記カートリッジ２でのフィルム２ａの送り出しのための軸回転やスプール４ｂ１の回転はカメラが自動的に行う。
【００１８】
前記カメラ１の外装部材は図１に想像線で示しており、広く知られている形状をもつ。すなわち、図中右側にはカメラ１の前面に膨出するグリップ部１１ａがグリップ部カバー１１によって形成されている。カメラ１の前面部および左、右側面部を形成するカメラ前面カバー１０と、カメラ１の背面部において前記蓋体５を除いた部分を構成するカメラ背面カバー１２とを備えている。
図２中１３はシャッタ羽根を収納するシャッタ羽根収納部、１３ａはシャッタ駆動部である。
【００１９】
前記カメラ１のグリップ部１１ａの内側には、広く知られている通り、カメラ１に付設した内蔵ストロボ（図示せず）の発光のための電気を蓄えておくメインコンデンサ１５と、たとえばＣＲ１２３Ａ型リチウム電池のような二本のバッテリ１６が、この部分の内部スペースを利用して内設されている。
【００２０】
前記フィルム走行通路６の背面側すなわち圧板７とカメラ１の背面部である背面カバー１２との間に、一枚の第１の硬質プリント基板２０がカメラ１の幅方向に沿って配設している。特に、このような構成では、フィルムカートリッジ２の装填のために蓋体５以外は開ける必要がないので、カメラ１の背面部という比較的広大なスペースを、電気部品搭載用の第１の硬質プリント基板２０の実装スペースとして確保することができる。
【００２１】
なお、第１の硬質プリント基板２０の背面部（背面カバー１２）側の面には、メインマイクロコンピュータ２０ａ、コネクタ２０ｂ、および多数の主要な電気部品２０ｃが搭載されている。また、この面と反対側の基板面にも、主要な電気部品２０ｃが搭載されている。
【００２２】
また、カメラ１のグリップ部１１ａの側面部寄りの部分には、前記背面側の第１の硬質プリント基板２０とは別の第２の硬質プリント基板２１を、前記第１の基板２０に略垂直に当接するように配置させている。この第２の硬質プリント基板２１は、前記グリップ部１１ａの背面側側部であって、コンデンサ１５やバッテリ１６を避けた位置に配設されている。
これらの第１、第２の硬質プリント基板２０，２１は、それぞれカメラボディ４の一部にねじ等の締結部品（図３中２５参照）によって固定され、この状態で略垂直に当接している。
【００２３】
ここで、第１の硬質プリント基板２０には、メインマイコン２０ａ、コネクタ２０ｂ、その他多数の主要な電気部品２０ｃが搭載されている。また、第２の硬質プリント基板２１には、ストロボ回路およびＤＣ／ＤＣコンバータ回路に必要なトランス２１ａ、コイル２１ｂ、その他の電気部品２１ｃが搭載されている。図中２３は基板２１の端部に形成した外部接続用端子である。
【００２４】
上述したストロボ回路はカメラ１に内蔵したストロボ（図示せず）の発光を制御するための回路であり、ＤＣ／ＤＣコンバータ回路はカメラ１に安定した電源を供給するための回路である。なお、図３中１０ａはカメラ１のペンタプリズム等を内蔵する軍艦部で、この部分に前記ストロボが付設されることが多い。
【００２５】
上述した構成によるカメラ１における第１、第２の硬質プリント基板２０，２１において、本発明ではこれらを図１、図２、図３に示すように略垂直に当接するように配置するとともに、この当接部において両基板２０，２１間での電気的な接続状態を確保する電気接続部としてはんだ接続部２２を設けている。
【００２６】
したがって、これらの硬質プリント基板２０，２１によれば、両基板２０，２１間での電気的な接続のために従来用いていた中継用ＦＰＣを不要とすることができ、コスト低減を図ることができる。
さらに、上述した中継用ＦＰＣを用いると、このＦＰＣとそれぞれの基板２０，２１との間での電気的な接続がそれぞれに必要となるが、これが両基板２０，２１の直接な電気的接続によって一回でよくなり、たとえばはんだ付けによる接続数を中継用ＦＰＣを用いた場合の半分で済ませることができる。
【００２７】
すなわち、図３に示すように、第１の硬質プリント基板２０と第２の硬質プリント基板２１との当接部に、これらの両基板２０，２１を電気的に導通接続させるはんだ接続部２２を設けている。この例ではその接続数は１３個である。
【００２８】
たとえば中継用ＦＰＣを用いた場合、中継用ＦＰＣと第１の硬質プリント基板２０とのはんだ接続数が１３個、同様に第２の硬質プリント基板２１とのはんだ接続数が１３個となり、合計２６個のはんだ接続数が必要となる。しかし、この例では、両基板２０，２１をダイレクトに電気的に接続できるので、はんだによる接続数は１３個で済む。また、両基板２０，２１をカメラボディ４に固定した状態で、予め両基板２０，２１のはんだ接続部２２の位置決めを行えるようにすることによって、はんだ接続の作業が容易になる。また、上述した理由から、組立性の大幅な改善も達成できる。
【００２９】
また、上述した構成において、ストロボ回路およびＤＣ／ＤＣコンバータ回路となる回路部品２１ａ〜２１ｃを搭載した第２の硬質プリント基板２１を、グリップ部１１ａの側面部背面寄りの部分であって、バッテリ１６の後方でこのバッテリ１６の幅よりも薄いスペースに配置するのが適当であることを、以下に述べる。
【００３０】
(1) メインコンデンサ１５やバッテリ１６は円筒形状であるため、円弧形状のグリップ部１１ａの内部に配置するのがカメラ１内でのスペースの有効な利用を図るうえで有利である。そして、このメインコンデンサ１５およびバッテリ１６と電気的な接続が必要となるストロボ回路およびＤＣ／ＤＣコンバータ回路はその接続ラインに大電流が流れるため、ノイズを発生するおそれがある。したがって、このようなストロボ回路やＤＣ／ＤＣコンバータ回路はメインコンデンサ１５、バッテリ１６とできるだけ近接したグリップ部１１ａの内側に配置するのが望ましい。
【００３１】
(2) 第２の硬質プリント基板２上のストロボ回路やＤＣ／ＤＣコンバータ回路は、トランス２１ａ、コイル２１ｂなどのように部品の高さが約１０ｍｍ前後のカメラの電気部品としては比較的背の高い部品によって構成されている。一方、グリップ部１１ａの側面部背面寄りの部分でのバッテリ１６の後方に形成されるスペースは、バッテリ１６の直径が約１７ｍｍであるから、上述したように１７ｍｍよりも幅の薄い電気部品の実装スペースとして適当である。
【００３２】
図４ないし図６は本発明に係るカメラの第２の実施の形態を示す。これらの図において、前述した実施の形態と同一または相当する部分には同一番号を付して説明は省略し、その違いのみを以下に説明する。
すなわち、図４に示すように、カメラ１の外装部材である背面カバー１２において、グリップ部１１ａに対応する背面側上方部分に、カメラ１のホールディング時における安定度を増すために親指の引っかけ部となる膨出部３０を設けたものがある。
【００３３】
このような膨出部３０を有するカメラ１では、図５に示すように、その膨出部３０の内側スペースに、第２の硬質プリント基板２１の延長部３１を設け、この延長部３１が干渉しないように第１の硬質プリント基板２０に切り欠き部３２を設けている。さらに、延長部３１と第１の硬質プリント基板２０との当接部に、図６に示すように、これら両基板２０，２１間での電気的接続をとるはんだ接続部２２を設けている。
【００３４】
このような構成によれば、第１の実施の形態において第２の硬質プリント基板２１の実装面積が足りない場合に、良好なホールディングを実現しながら充分な実装面積を確保することができるという利点がある。
【００３５】
図７ないし図９は本発明に関しての第３の実施の形態を示す。この実施の形態では、カメラ１の背面カバー１２においてグリップ部１１ａの背面側部分に上端から下端にかけて親指の引っかけ部となる膨出部４０を形成している。
この実施の形態では、この膨出部４０による内側スペースを利用して第２の硬質プリント基板２１に延設部４１を設けている。そして、両基板２０，２１の当接部に基板同士を電気的に接続するためのはんだ接続部２２を設けている。
【００３６】
このような構成によれば、上述した第２の実施の形態よりも、第２の硬質プリント基板２１の実装面積をより一層増大させることができる。
【００３７】
図１０および図１１は本発明の第４の実施の形態を示し、第１の実施の形態において、はんだ接続部２２の代わりに第１、第２の硬質プリント基板２０，２１の当接部にコネクタ５０を採用した例である。このような構成によっても、組立性が向上するとともに、上述した実施の形態と同等の作用効果が得られることはいうまでもない。
【００３８】
なお、本発明は上述した実施の形態で説明した構造には限定されず、各部の形状、構造等を適宜変形、変更し得ることはいうまでもない。
たとえば上述した実施の形態では、カメラ１の背面部の一部から蓋体５を開けてフィルムカートリッジ２を装填、取り出しする構成としているが、カメラ１の上面部または下面部からフィルムカートリッジ２を装填、取り出しする構成をとれば、背面部の全面に第１の硬質プリント基板２０を配置することが可能となる。このようにすれば、第１の硬質プリント基板２０の実装面積をさらに増やすことができる。
【００３９】
また、上述した実施の形態では、アドバンストフォトシステムによるフィルムカートリッジを用いた一眼レフタイプのカメラ１を用いて説明したが、本発明はこれに限定されず、他の形式のカメラであっても適用可能である。
【００４０】
【発明の効果】
以上説明したように本発明に係るカメラによれば、カメラの背面部内側に撮像面と平行かつ横長に配置され、両面にカメラの主要な電気部品が搭載された第１の硬質プリント基板と、この第１の硬質プリント基板よりも小さく形成されて前記カメラのグリップ部内に縦長に配置され、両面に電気部品が搭載された第２の硬質プリント基板と、前記第１および第２の硬質プリント基板を固定するカメラボディとを備え、前記第１および第２の硬質プリント基板を前記カメラボディに固定した状態で前記第２の硬質プリント基板の長辺を前記第１の硬質プリント基板に略垂直状態で当接させることにより、この当接部において前記第１および第２の硬質プリント基板を相互に位置決めした状態で電気接続部により電気的に接続したので、従来のような中継用のＦＰＣを必要としない分だけコストを下げることができる。
また、本発明によれば、第１および第２の硬質プリント基板を接続する電気接続部をカメラのグリップ部背面側の膨出部の内側に設けることにより、第２の硬質プリント基板の実装面積が足りない場合に、良好なホールディングを実現しながら充分な実装面積を確保することができる。
【００４１】
また、本発明によれば、電気接続部をはんだ接続部で構成することにより、二枚の硬質プリント基板を電気的に導通接続する際に中継用ＦＰＣを用いた場合と比べてはんだによる接続数も半分で済み、さらに両基板をボディに固定する時にはんだ接続部の位置決めも行えるから、組立性を向上させることができる。このようなはんだ接続部に代えてコネクタ接続部で構成すると、部品点数は増えるが組立性は同様に向上する。
【００４２】
また、本発明によれば、カメラの主要な電気部品を搭載した第１の硬質プリント基板をカメラ背面部内側に配置し、各種の電気部品の実装可能な面積を確保するとともに、これに略垂直に当接して接続した第２の硬質プリント基板に、大電流が流れノイズ源となり易いカメラのストロボ回路、ＤＣ／ＤＣコンバータ回路の少なくとも一方を含む回路を搭載することにより、他の回路部品にノイズなどの影響を最小限とすることができる。しかも、このようなストロボ回路やＤＣ／ＤＣコンバータ回路は比較的構成部品が大きいが、カメラのグリップ部の側面部内側にある空間部分を有効に利用することが可能で、カメラ内への電気部品の組み込みにあたって効果的である。
【図面の簡単な説明】
【図１】  本発明に係るカメラの第１の実施の形態を示す要部の斜視図である。
【図２】  図１の要部を断面した横断面図である。
【図３】  図１を側方から見た側面図である。
【図４】  本発明に係るカメラの第２の実施の形態を示し、適用するカメラの外観を示す斜視図である。
【図５】  本発明の第２の実施の形態において図１に対応する斜視図である。
【図６】  図５の横断面図である。
【図７】  本発明に係るカメラの第３の実施の形態を示し、適用するカメラの外観を示す斜視図である。
【図８】  本発明の第３の実施の形態において図１、図５に対応する斜視図である。
【図９】  図８の横断面図である。
【図１０】  本発明に係るカメラの第４の実施の形態を示す要部拡大断面図である。
【図１１】  図１０による第４の実施の形態を示す図３に対応する側面図である。
【符号の説明】
１…カメラ、２…フィルムカートリッジ、２ａ…フィルム、３…ミラーボックス、４…カメラボディ、４ａ…フィルムカートリッジ室、４ｂ…スプール室、５…蓋体、６…フィルム走行通路、７…圧板、１０…カメラ前面カバー、１１…グリップ部カバー、１１ａ…グリップ部、１２…カメラ背面カバー（背面部）、１５…コンデンサ、１６…バッテリ、２０…第１の硬質プリント基板、２０ａ〜２０ｃ…電気部品、２１…第２の硬質プリント基板、２１ａ〜２１ｃ…電気部品、２２…はんだ接続部（電気接続部）、３０…膨出部、３１…延設部、３２…切り欠き部、４０…膨出部、４１…延設部、５０…コネクタ（電気接続部）。
【図１】
0003829381.tif 000002
【図２】
0003829381.tif 000003
【図３】
0003829381.tif 000004
【図４】
0003829381.tif 000005
【図５】
0003829381.tif 000006
【図６】
0003829381.tif 000007
【図７】
0003829381.tif 000008
【図８】
0003829381.tif 000009
【図９】
0003829381.tif 000010
【図１０】
0003829381.tif 000011
【図１１】
0003829381.tif 000012